(57)【要約】【課題】放送波中継装置の送信側へのＩＦ信号の入力を再開した場合に、迅速に信号の伝送を復旧することが可能な放送波中継装置を提供する。【解決手段】ＩＦ（Intermediate Frequency）信号の入力が停止した際、可変減衰器１１１の利得を一定値に設定することでＡＬＣ（Automatic Level Control）回路１１からノイズを発生させず、送信装置１０からは、パイロット信号のみが送信されるようにする。これにより、ＩＦ信号の入力が停止している間でも、送信側と受信側との間で常に同期が取られるようになる。【選択図】      図１
2009290737.tif 000002
【特許請求の範囲】
【請求項１】
従属同期方式の放送波中継装置において、
入力されたＩＦ（Intermediate Frequency）帯の放送波信号にパイロット信号を付加して送信し、前記ＩＦ帯放送波信号の入力停止中は前記パイロット信号のみを送信することを特徴とする放送波中継装置。
【請求項２】
前記入力されたＩＦ帯放送波信号をその信号レベルが一定になるよう利得調整して出力する第１のレベル自動調整手段と、
前記第１のレベル自動調整手段から出力されるＩＦ帯放送波信号に前記パイロット信号を付加したのち、ＲＦ（Radio Frequency）帯の放送波信号に周波数変換する信号変換手段と、
前記周波数変換されたＲＦ帯の放送波信号をその信号レベルが一定になるよう調整して出力する第２のレベル自動調整手段と、
前記第２のレベル自動調整手段から出力されるＲＦ帯放送波信号を外部に送信する送信手段と、
前記ＩＦ帯放送波信号の入力が停止したことを検知する検知手段と、
前記検知手段で停止を検知した場合、前記第１のレベル自動調整手段の利得を予め設定された値に固定する制御手段と
を備えることを特徴とする請求項１記載の放送波中継装置。
【請求項３】
ＴＴＬ（Transmitter to Transmitter Link）中継方式で使用されることを特徴とする請求項１記載の放送波中継装置。
【発明の詳細な説明】
【技術分野】
【０００１】
本発明は、例えばデジタル放送において放送波を中継伝送する放送波中継装置に関する。
【背景技術】
【０００２】
従来の従属同期方式のＩＦ−ＴＴＬ（Intermediate Frequency - Transmitter to Transmitter Link）装置は、送信側で入力されたＩＦ帯の放送波信号にパイロット信号を付加したのち、ＲＦ（Radio Frequency）帯の放送波信号に変換して受信側へ送信する。そして、受信側では、受信したＲＦ帯放送波信号を、この信号に付加されているパイロット信号に同期した局発信号でＩＦ帯の放送波信号に変換する（例えば、特許文献１参照）。
【０００３】
ところで、この種のＴＴＬ装置は、送信側におけるＩＦ帯放送波信号の入力がなくなった場合、ノイズ等の送出を防ぐため、最終段増幅器の動作を停止する等の方法で送信出力を断としている。これは、ＩＦ帯放送波信号の入力がなくなると、ＩＦ帯放送波信号とＩＦ帯放送波信号に付加するパイロット信号との信号レベルの比を一定にするためのＡＬＣ（Automatic Level Control）回路の利得が最大値になってしまい、ノイズを増幅して出力してしまうことによる。しかしながら、上記の方法では、受信側への信号の送信と共に、パイロット信号の送信も断となってしまう。これにより、受信側では、送信側との同期がいったん外れることとなり、ＩＦ帯放送波信号の入力が再開した場合には、再度同期を取らなくてはならなくなり、信号伝送の復旧に時間がかかっていた。
【特許文献１】特開２００２−１５２１５８号公報
【発明の開示】
【発明が解決しようとする課題】
【０００４】
以上のように、従来の放送波中継装置では、放送波中継装置の送信側へのＩＦ帯放送波信号の入力を再開した場合、信号伝送の復旧に時間がかかっていた。
【０００５】
本発明は上記事情によりなされたものであり、その目的は、放送波中継装置の送信側へのＩＦ帯放送波信号の入力を再開した場合に、迅速に信号の伝送を復旧することが可能な放送波中継装置を提供することにある。
【課題を解決するための手段】
【０００６】
上記目的を達成するため、本発明に係る放送波中継装置は、従属同期方式の放送波中継装置において、入力されたＩＦ（Intermediate Frequency）帯の放送波信号にパイロット信号を付加して送信し、前記ＩＦ帯放送波信号の入力停止中は前記パイロット信号のみを送信することを特徴とする。
【０００７】
これにより、上記放送波中継装置は、ＩＦ帯放送波信号の入力が停止している間でも、送信側と受信側との間で常に同期が取られるようになる。
【発明の効果】
【０００８】
本発明によれば、放送波中継装置の送信側へのＩＦ帯放送波信号の入力を再開した場合に、迅速に信号の伝送を復旧することが可能な放送波中継装置を提供することができる。
【発明を実施するための最良の形態】
【０００９】
以下、図面を参照しながら本発明に係る放送波中継装置の実施の形態について詳細に説明する。本実施形態では、送信所間において信号の伝送を行うＴＴＬ（Transmitter to Transmitter Link）装置に関して説明する。  
図１は、本発明の一実施形態に係るＴＴＬ装置における送信装置１０と受信装置２０との機能構成を示すブロック図である。このＴＴＬ装置において、送信装置１０は、ＩＦ帯のＯＦＤＭ（Orthogonal Frequency Division Multiplexing）信号をＳＨＦ（超高周波数）帯の信号に変換し、パイロット信号と共に受信装置２０に伝送する。受信装置２０は、受信したＳＨＦ帯の信号を、この信号と共に得られるパイロット信号に同期した局発信号によりＩＦ帯のＯＦＤＭ信号に周波数変換して出力する。
【００１０】
上記送信装置１０は、ＡＬＣ（Automatic Level Control）回路１１、制御部（ＣＴＬ）１２、パイロット信号生成部（ＰＩＬＯＴ  ＰＬＬ）１３、ＳＨＦ局発部（ＳＨＦ  ＰＬＬ）１４、分配・合成器（ＨＹＢ）１５、周波数変換器（ＭＩＸ）１６、ＡＬＣ回路１７及び送信アンテナ１８を具備する。
【００１１】
ＡＬＣ回路１１は、入力されたＯＦＤＭ信号をその信号レベルが一定になるように調整して出力するものであり、可変減衰器（ＶＡＴＴ）１１１、増幅器（ＡＭＰ）１１２、分岐器（ＣＰＬ）１１３、検波器（ＤＥＴ）１１４及び切換器（ＳＷ）１１５を備える。
【００１２】
可変減衰器１１１は、切換器１１５を介して供給される電圧に従って利得を決定し、この利得によりＯＦＤＭ信号の信号レベルを調整する。
【００１３】
増幅器１１２は、可変減衰器１１１から出力されるＯＦＤＭ信号を増幅して、分岐器１１３に供給する。  
分岐器１１３は、増幅されたＯＦＤＭ信号を２系統に分岐し、一方を分配・合成器１５に供給し、他方をフィードバック信号として検波器１１４に供給する。
【００１４】
検波器１１４は、分岐器１１３からのフィードバック信号を検波し、この信号の電力に比例した電圧と規定出力に比例した電圧との差に相当する電圧を切換器１１５に供給する。また、検波器１１４はフィードバック信号が検波できない場合は、その旨を制御部１２に通知する。
【００１５】
切換器１１５には、検波器１１４からの電圧及び外部からの固定電圧が導入され、制御部１２からの指示に従い、これら電圧のいずれかの電圧の出力を導出するように切り換える。このとき、固定電圧の電圧値は、ＡＬＣ回路１１にＯＦＤＭ信号が入力されない際に、このＡＬＣ回路１１からの出力信号がノイズにならない程度の利得を決定する値である。
【００１６】
制御部１２は、検波器１１４からのフィードバック信号が検波できないのに応じた通知を受け取った場合、切換器１１５の出力を固定電圧に切換制御する。
【００１７】
パイロット信号生成部１３は、外部から入力される基準周波数信号（１０ＭＨｚ）に同期したパイロット信号を生成し、分配・合成器１５に供給する。  
ＳＨＦ局発部１４は、外部から入力される基準周波数信号（１０ＭＨｚ）に同期したＳＨＦ帯のローカル信号を生成し、周波数変換器１６に供給する。
【００１８】
分配・合成器１５は、パイロット信号生成部１３からパイロット信号を受け取り、ＡＬＣ回路１１からのＯＦＤＭ信号にこのパイロット信号を合成して周波数変換器１６に供給する。
【００１９】
周波数変換器１６は、ＳＨＦ局発部１４からのＳＨＦ帯のローカル信号を用いて、分配・合成器１５からのＯＦＤＭ信号をＳＨＦ帯の信号に変換する。
【００２０】
ＡＬＣ回路１７は、周波数変換器１６からＳＨＦ帯のＯＦＤＭ信号を受け取り、その信号レベルを調整することで、送信アンテナ１８から出力される信号の信号レベルを一定にするものであり、可変減衰器１７１、増幅器１７２、分岐器１７３及び検波器１７４を備える。
【００２１】
可変減衰器１７１は、検波器１７４から供給される電圧に従って利得を決定し、この利得により周波数変換器１６からのＯＦＤＭ信号の信号レベルを調整する。
【００２２】
増幅器１７２は、可変減衰器１７１から出力されたＯＦＤＭ信号を増幅して、分岐器１７３に供給する。  
分岐器１７３は、増幅されたＯＦＤＭ信号を２系統に分岐し、一方を送信アンテナ１８から送信し、他方をフィードバック信号として検波器１７４に供給する。
【００２３】
検波器１７４は、分岐器１７３からのフィードバック信号を検波し、この信号の電力に比例した電圧と規定出力に比例した電圧との差に相当する電圧を可変減衰器１７１に供給する。
【００２４】
上記受信装置２０は、受信アンテナ２１、増幅器２２、周波数変換器２３、分配・合成器２４、パイロット信号抽出部（ＰＩＬＯＴ抽出）２５及びＳＨＦ局発部２６を具備する。
【００２５】
送信装置１０から送信されたＳＨＦ帯の信号は、受信アンテナ２１で受信され、増幅器２２でその信号レベルが増幅され、周波数変換器２３に供給される。
【００２６】
周波数変換器２３は、ＳＨＦ局発部２６で生成されたＳＨＦ帯のローカル信号を用いて、増幅器２２で増幅されたＳＨＦ帯のＯＦＤＭ信号をＩＦ帯の信号に周波数変換する。ＩＦ帯のＯＦＤＭ信号は、分配・合成器１５でパイロット信号成分が分配され、後段に出力される。
【００２７】
ＳＨＦ局発部２６には、分配・合成器２４及びパイロット信号抽出部２５により抽出された受信信号のパイロット信号が導入され、このパイロット信号に同期したＳＨＦ帯のローカル信号を生成する。
【００２８】
以下では、上記構成のＴＴＬ装置において、送信装置１０に対してＯＦＤＭ信号の入力が停止した場合の動作を説明する。図２は、本発明の一実施形態に係るＴＴＬ装置の制御部１２の処理フローを示すフローチャートである。  
ＯＦＤＭ信号の入力が停止している際、検波器１１４は、ＯＦＤＭ信号の入力が無いため、制御部１２にその旨を通知する。制御部１２は、検波器１１４からの通知があるか否かを判定し（ステップ２ａ）、通知がある場合（ステップ２ａのＹｅｓ）、切換器１１５を固定電圧の出力に切換制御して（ステップ２ｂ）、処理を終了する。
【００２９】
この制御部１２の切換制御により、切換器１１５を介して可変減衰器１１１に固定電圧が供給される。可変減衰器１１１の利得は、この固定電圧に従って一定値に設定される。これにより、分配・合成器１５には、パイロット信号生成部１３からのパイロット信号のみが供給されることとなる。
【００３０】
パイロット信号は、分配・合成器１５から周波数変換器１６に供給され、ＳＨＦ帯の信号に周波数変換されてＡＬＣ回路１７に供給される。このＳＨＦ帯のパイロット信号は、ＡＬＣ回路１１で信号レベルが調整され、送信アンテナ１８から送信される。
【００３１】
受信装置２０は、送信装置１０から送信されたパイロット信号を受信し、ＳＨＦ局発部２６で生成されたＳＨＦ帯のローカル信号に基づいて受信されたパイロット信号をＩＦ帯のパイロット信号に変換する。ＩＦ帯のパイロット信号は、分配・合成器２４で分配されてパイロット信号抽出部２５に供給される。このため、分配・合成器１５からは放送波信号が出力されることは無い。
【００３２】
以上のように、上記実施形態に係るＴＴＬ装置では、ＩＦ帯のＯＦＤＭ信号の入力がない場合、可変減衰器１１１の利得を固定利得に設定し、ＡＬＣ回路１１からノイズが発生しないようにしている。ＡＬＣ回路１１からノイズが発生しないため、増幅器１７２を停止しなくてもノイズが受信装置２０に送信されることはなくなる。そして、増幅器１７２を停止しなくてもよいため、送信装置１０から受信装置２０へは常にパイロット信号が送信されることになる。これにより、受信装置２０は、送信装置１０へのＯＦＤＭ信号の入力が停止した場合であっても、送信装置１０と常に同期を取ることが可能となる。つまり、ＩＦ帯のＯＦＤＭ信号の供給が再開された場合、ローカルの同期はすでに確立しているため、即座に信号が伝送されることになる。
【００３３】
したがって、本発明に係る放送波中継装置は、放送波中継装置の送信側へのＩＦ帯放送波信号の入力を再開した場合に、迅速に信号の伝送を復旧することができる。
【００３４】
なお、本発明は上記実施形態に限定されるわけではない。例えば、上記一実施形態では、ＴＴＬ装置についての例を説明したが、パイロット信号を用いた従属同期方式の装置であるならば、ＴＴＬ装置以外であっても同様に実施可能である。
【００３５】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３６】
【図１】本発明の一実施形態に係るＴＴＬ装置における送信装置と受信装置の機能構成を示すブロック図である。
【図２】図１の制御部の処理フローを示すフローチャートである。
【符号の説明】
【００３７】
１０…送信装置
１１…ＡＬＣ回路
１１１…可変減衰器
１１２…増幅器
１１３…分岐器
１１４…検波器
１１５…切換器
１２…制御部
１３…パイロット信号生成部
１４…ＳＨＦ局発部
１５…分配・合成器
１６…周波数変換器
１７…ＡＬＣ回路
１７１…可変減衰器
１７２…増幅器
１７３…分岐器
１７４…検波器
１８…送信アンテナ
２０…受信装置
２１…受信アンテナ
２２…増幅器
２３…周波数変換器
２４…分配・合成器
２５…パイロット信号抽出部
２６…ＳＨＦ局発部
【図１】
2009290737.tif 000003
【図２】
2009290737.tif 000004